(57)【要約】  【課題】１つの表示器を用いてカメラ表面の少なくとも２面で表示させるようにしたカメラを得る。  【解決手段】カメラ本体１０の上面および背面を跨ぐように折り曲げ可能な表示器２０を配設する。表示器２０の背面側表示エリアＲに表示する項目や、上面側表示エリアＵに表示する項目をあらかじめ登録しておき、登録内容に基づいて表示器２０に情報を表示する。たとえば、撮影時に必要度が高い情報を表示器２０の背面側表示エリアＲに表示させ、非撮影時に表示する情報を表示器２０の上面側表示エリアＵに表示させる。  【選択図】図３
2005043754.tif 000002
【特許請求の範囲】
【請求項１】
カメラ表面の少なくとも隣接する２つの面が形成する辺の一部を含むように前記表面に沿って配設される表示器と、
前記表示器に所定の情報を表示させる表示制御手段とを備えることを特徴とするカメラ。
【請求項２】
請求項１に記載のカメラにおいて、
前記表示器は、湾曲性を有する表示部材によって構成されることを特徴とするカメラ。
【請求項３】
請求項１または２に記載のカメラにおいて、
前記表示制御手段は、前記所定の情報を前記２つの面のうち一方の面内で表示させたり、他方の面内で表示させたりするように、前記表示器の表示領域における表示位置を制御することを特徴とするカメラ。
【請求項４】
請求項３に記載のカメラにおいて、
前記表示制御手段は、あらかじめ設定されている表示すべき位置に前記所定の情報を表示させることを特徴とするカメラ。
【請求項５】
請求項１〜４のいずれかに記載のカメラにおいて、
前記表示器は、前記表示制御手段からの制御信号および当該表示器に対する電源供給が絶たれてもその表示内容を保持し、
メインスイッチがオフ操作されると、前記表示器にメインスイッチオフを示す情報を表示させるように前記表示制御手段に指示するとともに、前記電源供給の遮断を電源遮断手段へ指示する制御手段をさらに備えることを特徴とするカメラ。
【発明の詳細な説明】
【技術分野】
【０００１】
本発明は、本体表面の一部に表示器を備えるカメラに関する。
【背景技術】
【０００２】
カメラには、電池の残量情報や撮影コマ数などの情報を表示する表示器が設けられている。表示器は液晶パネルなどによって構成され、ガラスやプラスチックなどの透明部材を介して観察される。一般に、液晶パネルは平面形状を有するので、表示器の配設部位はカメラの上面や背面などの外表面に限られる。特許文献１には、非平面状のカメラ表面にも適合するように成形した有機電界発光材料を用いてカメラ情報を表示することが開示されている。
【０００３】
【特許文献１】特開平８−２２０６１８号公報
【特許文献２】特開２００１−９２３８７号公報
【発明の開示】
【発明が解決しようとする課題】
【０００４】
使用者がカメラを携帯しているとき、表示器がカメラの上面に配設されていると、使用者は当該カメラの上方から表示器による表示内容を確認できる。一方撮影時は、表示器がカメラのファインダー配設面、すなわち、カメラの背面に配設されていると、使用者はファインダーから少ない視線移動で表示器による表示内容を確認できる。しかしながら、カメラの複数の面にそれぞれ表示器を設けることは、カメラのコストアップにつながる。
【課題を解決するための手段】
【０００５】
本発明によるカメラは、カメラ表面の少なくとも隣接する２つの面が形成する辺の一部を含むように表面に沿って配設される表示器と、表示器に所定の情報を表示させる表示制御手段とを備えることを特徴とする。
表示器は、湾曲性を有する表示部材によって構成してもよい。
上記表示制御手段は、所定の情報を２つの面のうち一方の面内で表示させたり、他方の面内で表示させたりするように、表示器の表示領域における表示位置を制御することもできる。また、表示制御手段は、あらかじめ設定されている表示すべき位置に所定の情報を表示させることもできる。
表示器は、表示制御手段からの制御信号および当該表示器に対する電源供給が絶たれてもその表示内容を保持するものでもよく、この場合のカメラはさらに、メインスイッチがオフ操作されると、表示器にメインスイッチオフを示す情報を表示させるように表示制御手段に指示するとともに、電源供給の遮断を電源遮断手段へ指示する制御手段を備えてもよい。
【発明の効果】
【０００６】
本発明によるカメラでは、１つの表示器を用いてカメラ表面の少なくとも２面で表示させることができる。
【発明を実施するための最良の形態】
【０００７】
以下、図面を参照して本発明を実施するための最良の形態について説明する。
図１は、本発明の一実施の形態によるカメラの上面および背面を見た斜視図である。図１において、カメラ本体１０に撮影レンズ１００が装着されている。カメラ本体１０の背面にはファインダー１１が設けられ、カメラ本体１０の上面にはホットシュー１９が設けられている。カメラ本体１０にはさらに、背面の一部および上面の一部にそれぞれかかるように湾曲形状を有する表示器２０が設けられている。使用者は、撮影時にファインダー１１から被写体を観察し、レリーズボタン１８を操作する。
【０００８】
表示器２０は、いわゆる電子ペーパーと呼ばれる薄型・軽量で折り曲げ可能な表示部材によって構成されている。この表示部材は、粒子の回転や、電気泳動などの技術を用いて画像やテキストなどの情報を表示するものである（特許文献２を参照）。表示器２０は、表示する情報が書き換え自在である上に、表示内容がカメラのメインスイッチオフ時（表示器２０に対する電源供給および表示のための制御信号が遮断された状態）にも保持される不揮発特性を有する。
【０００９】
図２は、図１のカメラの要部構成を示すブロック図である。図２において、ＣＰＵ１は、後述する各ブロックから出力される信号を入力して所定の演算を行い、演算結果に基づいて制御信号を各ブロックへ出力する。
【００１０】
ＣＰＵ１およびクロック発生回路２には、不図示の電池から電源が供給される。ＣＰＵ１は、電池（不図示）がカメラに装填され、クロック発生回路２からクロック信号が供給されると所定のプログラムを起動する。スイッチ３は、カメラ本体１０のメインスイッチ（不図示）に連動してオン／オフする。メインスイッチがオン位置にセットされるとスイッチ３がオンし、メインスイッチがオフ位置にセットされるとスイッチ３がオフするように構成されている。スイッチ３の一方の端子はＣＰＵ１の入力ポートＩ１に接続され、スイッチ３の他方の端子は接地されている。
【００１１】
ＣＰＵ１は、スイッチ３がオンして入力ポートＩ１への入力信号が低レベルになると、不図示の電源供給回路をオンさせる。電源供給回路は、電池による電圧をカメラの各ブロックで必要な電圧に変換して各ブロックへ供給する。ＣＰＵ１は、スイッチ３がオフして入力ポートＩ１への入力信号が高レベルになると、電源供給回路をオフさせて各ブロックへの電源供給を遮断する。
【００１２】
操作部材４は、レリーズボタン１８および各種操作スイッチを含む。操作部材４は、スイッチ類が操作されると、操作内容に応じて操作信号をＣＰＵ１の入力ポートＩ２へ送出する。ＣＰＵ１は、入力ポートＩ２から入力される操作信号に応じて所定の処理を行う。
【００１３】
測光装置５は、撮影レンズ１００（図１）を透過した光量を検出し、検出信号をＣＰＵ１へ出力する。ＣＰＵ１は、測光装置５による検出信号を用いて周知の露出演算を行い、適正露出が得られるように絞り値およびシャッタ秒時（撮影時の露光時間）を決定する。絞り駆動機構６は、ＣＰＵ１からの指令により、不図示の絞りを駆動して所定の絞り値にする。シャッタ駆動機構７は、ＣＰＵ１からの指令により、不図示のシャッタを駆動して所定の露光時間が得られるようにする。
【００１４】
表示器２０は、ＣＰＵ１からの表示制御信号に応じてカメラに設定されている露出演算モード、ＣＰＵ１で決定されたシャッタ秒時および絞り値、撮影可能なコマ数、電池残量および日付などを表示する。
【００１５】
図３は、表示器２０による表示例を示す図である。表示器２０において、カメラ本体１０の上面側に位置する表示エリアＵに露出演算モードを示す表示「Ａ」、およびカレンダーが表示されている。また、表示器２０において、カメラ本体１０の背面側に位置する表示エリアＲに中央部重点測光モードに設定されていることを示す表示「(・)」、電池残量を示す電池マーク表示、および撮影可能コマ数「２６７」が表示されている。折り曲げ部Ｔは、カメラ本体１０の上面および背面の境界に対応する辺に沿っている。
【００１６】
ＣＰＵ１は、撮影時に必要度が高い情報を表示器２０の背面側表示エリアＲに表示させる。使用者は、撮影時にファインダー１１（図１）を観察しているとき、視線をファインダー１１から右横方向に移動させると表示器２０の背面側表示エリアＲに表示されている情報を観察できる。ファインダー１１から表示器２０の背面側表示エリアＲまでの視線の移動量は、ファインダー１１から表示器２０の上面側表示エリアＵまで移動させる場合に比べて少ない。
【００１７】
表示器２０の背面側表示エリアＲに表示する項目は、あらかじめＣＰＵ１に登録されている。たとえば、使用者が露出演算モードを示す表示と撮影可能コマ数の表示とを行うようにＣＰＵ１に登録した場合、ＣＰＵ１は、表示器２０における背面側表示エリアＲに露出演算モードを示す表示「Ａ」および撮影可能コマ数「２６７」を表示させる。背面側表示エリアＲに表示する項目の登録は、操作部材４の操作によって行われる。登録内容は、ＣＰＵ１内の不揮発性メモリに記憶される。
【００１８】
ＣＰＵ１は、撮影時に必要度が低い情報や、非撮影時にも表示する情報を表示器２０の上面側表示エリアＵに表示させる。使用者は、ストラップ（不図示）など用いてカメラ本体１０を携帯するとき、表示器２０の表示エリアＵに表示されている情報を観察する。カメラ携帯時には、当該カメラが使用者の目の位置より下方に位置することが多いので、使用者はカメラ本体１０の向きを変えることなしに、表示器２０の上面側表示エリアＵに表示されている情報を観察できる。表示器２０の上面側表示エリアＵに表示する項目についても、ＣＰＵ１に登録するようにしてもよい。
【００１９】
表示器２０は、発光素子などによって発光表示する表示部材と異なり、電源供給が遮断され、ＣＰＵ１からの表示制御信号が入力されない状態になっても、電源および表示制御信号が遮断される直前の表示内容を保持する。表示器２０にカレンダー表示するようにＣＰＵ１に登録しておくと、メインスイッチがオフされた以降もカレンダー表示が保持されるため、最後にカメラを使用した日付けの表示を保持できる。
【００２０】
なお、メインスイッチオフ時に表示器２０に表示が継続されていると使用者に違和感を与える場合は、電源オフを示す「ＯＦＦ」表示を合わせて行うようにしてもよい。この場合のＣＰＵ１は、メインスイッチに連動するスイッチ３がオフして入力ポートＩ１への入力信号が高レベルになると、表示器２０に「ＯＦＦ」表示を追加させ、メインスイッチオフ時に不要な表示を消去した上で電源供給回路（不図示）をオフさせる。
【００２１】
以上説明した実施形態によれば、次の作用効果が得られる。
（１）カメラの上面および背面を跨ぐように折り曲げ可能な表示器２０を配設したので、上面および背面のそれぞれに表示部材を設ける場合に比べて、表示部材による占有スペースを小さく抑えることができる。
【００２２】
（２）撮影時に必要度が高い情報を表示器２０の背面側表示エリアＲに表示させたので、使用者は、ファインダー１１から少ない視線移動で表示器２０の表示内容を確認できる。この結果、シャッターチャンスを逸するおそれが少なくなる。
【００２３】
（３）非撮影時に表示する情報を表示器２０の上面側表示エリアＵに表示させたので、ストラップ（不図示）など用いてカメラ本体１０を携帯する場合などに、使用者はカメラ本体１０の向きを変えることなく、表示器２０の表示内容を確認できる。
【００２４】
（４）表示器２０の背面側表示エリアＲに表示する項目や、上面側表示エリアＵに表示する項目をあらかじめＣＰＵ１に登録し、登録内容に基づいて表示器２０に情報を表示するようにしたので、使用者の希望通りに表示項目を並び替えて、表示器２０の表示内容をカスタマイズすることができる。
【００２５】
（５）メインスイッチオフ時に表示器２０にカレンダー表示が保持されるため、使用者は、最後にカメラを使用した日付けを忘れても困らない。
【００２６】
図４に示すように、表示器２０の折り曲げ部Ｔに表示を行うようにしてもよい。この場合のＣＰＵ１は、表示器２０における折り曲げ部Ｔに露出演算モードを示す表示「Ａ」および撮影可能コマ数「２６７」を表示させている。折り曲げ部Ｔに情報表示を行うことで、カメラ本体１０に対して上面側および背面側のいずれからも表示内容を確認することが可能になる。
【００２７】
以上説明したカメラは、デジタルカメラであってもよいし、銀塩カメラであってもよい。
【００２８】
湾曲性を有する表示器２０を、カメラの２面を跨ぐように配設する例を示したが、３面に跨るように配設してもよい。
【００２９】
特許請求の範囲における各構成要素と、発明を実施するための最良の形態における各構成要素との対応について説明する。表示制御手段および制御手段は、たとえば、ＣＰＵ１によって構成される。電源遮断手段は、たとえば、電源供給回路によって構成される。なお、本発明の特徴的な機能を損なわない限り、各構成要素は上記構成に限定されるものではない。
【図面の簡単な説明】
【００３０】
【図１】本発明の一実施の形態によるカメラの上面および背面を見た斜視図である。
【図２】図１のカメラの要部構成を示すブロック図である。
【図３】表示器による表示例を示す図である。
【図４】他の表示例を示す図である。
【符号の説明】
【００３１】
１…ＣＰＵ
４…操作部材
１０…カメラ本体
１１…ファインダー
２０…表示器
Ｒ…背面側表示エリア
Ｔ…折り曲げ部
Ｕ…上面側表示エリア
【図１】
2005043754.tif 000003
【図２】
2005043754.tif 000004
【図３】
2005043754.tif 000005
【図４】
2005043754.tif 000006